(57)【要約】【課題】扉の施解錠状態を表示する表示手段を組み込んだ取手を扉の外側に備えるスライドボルトにおいて、その取手の出っ張りを小さくして扉回りのデザイン性など美的外観の向上を実現する。【解決手段】スライドボルトにおいて、ロック手段Ａは、ラッチバー１０が扉の解錠位置と施錠位置との間の所定距離を直線往復移動すると、被動歯車４０の回転数を、常に表示板５０が扉の施解錠状態を切換表示する１／２回転に減速する歯数の複合２段歯車により中間歯車３５・４５を形成し、この中間歯車３５・４５の大歯車３５ａ・４５ａを駆動側のラック２０に噛み合わす一方、小歯車３５ｂ・４５ｂを従動側の被動歯車４０と噛み合う高さ位置に保持して減速ギヤ列Ｇを形成し、ラッチバー１０内のラック２０と被動歯車４０との間に配設した構成にする。【選択図】          図１
2015094176.tif 000002
【特許請求の範囲】
【請求項１】
ラッチバーを直線往復移動して扉を施解錠する内側のロック手段と、扉の施解錠状態を表示板に表示する表示手段を組み込んだ外側の取手とを、扉を挟んで両側に回転軸を介して連結し、前記ラッチバーを直線往復移動すると、前記ラッチバーに備えた駆動側のラックと噛み合い前記回転軸の軸基端に有した従動側の被動歯車が軸先端に連結した前記表示板と一体に正逆方向に半回転し、前記取手に有する表示窓から扉の施解錠状態を切換表示するスライドボルトにおいて、
前記ロック手段は、前記ラッチバーが扉の解錠位置と施錠位置との間の所定距離を直線往復移動すると、前記被動歯車の回転数を、前記表示板が扉の施解錠状態を切換表示する１／２回転に減速する中間歯車を、前記ラックと前記被動歯車に噛み合わせて減速ギヤ列を形成し、該減速ギヤ列を前記ラッチバー内に配設してなることを特徴とする、スライドボルト。
【請求項２】
前記減速ギヤ列は、前記中間歯車を、前記ラックと噛み合う駆動側の大歯車と前記被動歯車と噛み合う被動側の小歯車とを同軸上に取り付けた複合歯車により形成して２段減速としてなることを特徴とする、請求項１に記載のスライドボルト。
【請求項３】
前記減速ギヤ列は、前記被動歯車の径方向両側の対向する位置に前記中間歯車を一対配設し、それぞれ前記小歯車を前記被動歯車に噛み合わす一方、前記大歯車を前記ラックと噛み合う高さ位置に保持してなることを特徴とする、請求項２に記載のスライドボルト。
【発明の詳細な説明】
【技術分野】
【０００１】
本発明は、トイレ等の扉に設置されるもので、ラッチバーを直線往復移動して扉を施解錠する内側のロック手段と、その施解錠状態を表示板に表示する表示手段を組み込んだ外側の取手とを、扉を間に挟んで回転軸を介して連結し、ラッチバーの移動に連動して表示手段により扉の施解錠状態を切換表示するスライドボルトに関する。
【背景技術】
【０００２】
従来、この種のスライドボルトは、図１４に示すように、扉ｄを施解錠する内側のロック手段ａと、外側の取手ｂとを扉ｄを挟んで連結し、ロック手段ａに備えるラッチベース１に対して溝形のラッチバー２を直線移動自在に係合し、扉ｄの閉止後、ラッチバー２を直線往復移動させて、扉ｄを内側から施解錠すると同時に、ラッチバー２の直線移動をラックピニオン機構で回転運動に変換し、その回転を、回転軸３の先端に取り付けた表示手段の表示板４に伝達し、表示板４上に設ける異なる区分表示面を切り換えて表示窓５から扉ｄの施解錠状態を外部に表示する構造になっている。
【０００３】
そのため、ロック手段ａには、ラッチバー２内の片側に長手方向に沿ってラック６を設ける一方、回転軸３の基端にラック６と噛み合うピニオンギヤ７を設け、その回転軸３をラッチベース１で回転可能に保持し、表示手段のケース８内において、回転軸３の先端に減速ギヤ列ｇを配設し、減速ギヤ列ｇを介して回転軸３を表示板４に連結した構成にしている。
【０００４】
そこで、通常は、ラッチバー２を所定距離往復移動させると、それに応じて扉ｄを施解錠する同時に、ラック６との噛み合いを介してピニオンギヤ７が正逆回転し、その回転を減速ギヤ列ｇで減速して表示板４に伝達し、表示板４を正逆回転し、その回転方向に応じて表示窓５から臨む表示板４の異なる区分表示面を切り換えて、扉ｄの施解錠状態を外部に表示する。
【先行技術文献】
【特許文献】
【０００５】
【特許文献１】実開平７−１４０４２号公報
【発明の概要】
【発明が解決しようとする課題】
【０００６】
ところが、上述した従来のスライドボルトでは、表示手段のケース８内において、回転軸３の先端に減速ギヤ列ｇを配設し、減速ギヤ列ｇを介して回転軸３を表示板４に連結し、表示手段のケース８内で回転軸３の回転を減速ギヤ列ｇで減速してから、表示板４を正逆回転して扉の施解錠状態を切換表示する構造であるため、減速ギヤ列を表示手段のケース８内に配設する分だけ取手ｂ全体が大きくなって扉の外側に出っ張り、ホテルや病院などのトイレブースのようにデザインなど美的外観を重視する部屋の扉には好ましくないという課題があった。
【０００７】
そこで、本発明の目的は、扉の施解錠状態を表示する表示手段を組み込んだ取手を扉の外側に備えるスライドボルトにおいて、その取手の出っ張りを小さくして扉回りのデザイン性など美的外観の向上を実現することにある。
【課題を解決するための手段】
【０００８】
そのため、上述した課題を解決すべく、請求項１に記載の発明は、たとえば以下に示す図示実施の形態のとおり、ラッチバー１０を直線往復移動して扉Ｄを施解錠する内側のロック手段Ａと、扉の施解錠状態を表示板５０に表示する表示手段Ｃを組み込んだ外側の取手Ｂとを、扉Ｄを挟んで両側に回転軸３０を介して連結し、前記ラッチバー１０を直線往復移動すると、前記ラッチバー１０に備えた駆動側のラック２０と噛み合い前記回転軸３０の軸基端に有した従動側の被動歯車４０が軸先端に連結した前記表示板５０と一体に正逆方向に半回転し、前記取手Ｂに有する表示窓５９から扉Ｄの施解錠状態を切換表示するスライドボルトにおいて、前記ロック手段Ａは、前記ラッチバー１０が扉Ｄの解錠位置と施錠位置との間の所定距離Ｌを直線往復移動すると、前記被動歯車４０の回転数を、前記表示板５０が扉Ｄの施解錠状態を切換表示する１／２回転に減速する中間歯車３５・４５を、前記ラック２０と前記被動歯車４０に噛み合わせて減速ギヤ列Ｇを形成し、該減速ギヤ列Ｇを前記ラッチバー１０内に配設してなることを特徴とする。
【０００９】
請求項２に記載の発明は、請求項１に記載のスライドボルトにおいて、たとえば以下に示す図示実施の形態のとおり、前記減速ギヤ列Ｇは、前記中間歯車３５・４５を、前記ラック４０と噛み合う駆動側の大歯車３５ａ・４５ａと前記被動歯車４０と噛み合う被動側の小歯車３５ｂ・４５ｂとを同軸上に取り付けた複合歯車により形成して２段減速としてなることを特徴とする。
【００１０】
請求項３に記載の発明は、請求項２に記載の発明のスライドボルトにおいて、たとえば以下に示す図示実施の形態のとおり、前記減速ギヤ列Ｇは、前記被動歯車４０の径方向両側の対向する位置に前記中間歯車３５・４５を一対配設し、それぞれ前記小歯車３５ｂ・４５ｂを前記被動歯車４０に噛み合わす一方、前記大歯車３５ａ・４５ａを前記ラック２０と噛み合う高さ位置に保持してなることを特徴とする。
【発明の効果】
【００１１】
請求項１に記載の発明によれば、ロック手段は、ラッチバーが扉の解錠位置と施錠位置との間の所定距離を直線往復移動すると、被動歯車の回転数を、表示板が扉の施解錠状態を切換表示する１／２回転に減速する中間歯車を、ラッチバーに備えた駆動側のラックと従動側の被動歯車に噛み合わせて減速ギヤ列を形成し、該減速ギヤ列をラッチバー内に配設した構成にすることにより、扉の施解錠状態を表示板に表示する表示手段を組み込んで扉の外側に備えた取手の出っ張りが小さくなり扉回りのデザイン性など美的外観を向上させることができる。
【００１２】
請求項２に記載の発明によれば、減速ギヤ列は、中間歯車を、ラックと噛み合う駆動側の大歯車と被動歯車と噛み合う被動側の小歯車とを同軸上に有する複合歯車により形成して２段減速とすることにより、被動歯車の回転数を、無用に複雑な減速機構によらずに効率よく、表示板が扉の施解錠状態を切換表示する１／２回転に減速することができる。
【００１３】
請求項３に記載の発明によれば、減速ギヤ列は、被動歯車の径方向両側の対向する位置に中間歯車を一対配設し、それぞれ小歯車を被動歯車に噛み合わす一方、大歯車をラックと噛み合う高さ位置に保持して配設する構成にするため、ラッチバーを解錠位置と施錠位置間の所定距離直線往復移動するとき、その移動途中に一側における中間歯車の大歯車とラックの噛み合いが外れても、他側における中間歯車の大歯車が同じラックと噛み合ったまま直線移動を回転運動に変換し、その回転を減速して表示板に伝達し、扉の施解錠状態を外部に切換表示することができ、その結果、ラッチバーに設けるラックを無用に長く形成する必要がなくなり、それに応じてラッチバーの小型化が進み、コストも低減することができる。
【図面の簡単な説明】
【００１４】
【図１】本発明の一例であるスライドボルトを示す分解斜視図である。
【図２】スライドボルトを図１と反対向きで示す分解斜視図である。
【図３】ラッチバーが解錠位置にあるときの減速ギヤ列の状態を示す作動正面図である。
【図４】減速ギヤ列の噛み合い状態を示すスライドボルトの正面図である。
【図５】スライドボルトを示す斜視図である。
【図６】スライドボルトを図５と反対向きで示す分解斜視図である。
【図７】ラッチバーが解錠位置にある扉回りを内側から視て示す斜視図である。
【図８】扉回りを表示手段を組み込んだ取手のある外側から視て示す斜視図である。
【図９】ラッチバーが施錠位置にある扉回りを内側から視て示す斜視図である。
【図１０】ラッチバーが施錠方向に移動する前半での減速ギヤ列の状態を示す作動正面図である。
【図１１】ラッチバーが施錠方向に移動する中間での減速ギヤ列の状態を示す作動正面図である。
【図１２】ラッチバーが施錠方向に移動する後半での減速ギヤ列の状態を示す作動正面図である。
【図１３】ラッチバーが施錠位置に移動したときの減速ギヤ列の状態を示す作動正面図である。
【図１４】従来のスライドボルトを一部を断面にして示す縦断面図である。
【発明を実施するための形態】
【００１５】
以下、図面を参照しつつ、本発明の実施の形態について説明する。
【００１６】
図１〜図６に本発明の一例であるスライドボルトを示す。図示例のスライドボルトは、扉Ｄを間に挟んで、例えばトイレ内で扉Ｄの内側に取り付けるロック手段Ａと、表示手段Ｃを組み込んだ外側に取り付ける取手Ｂとを備えてなる。
【００１７】
ロック手段Ａは、金属製のラッチバー１０と、金属製のラッチベース１１を備える。ラッチバー１０は、全体に断面コ状の溝形に成形するが、対向する内側面１０ａ・１０ｂには、長さ方向に凸条のガイドレール１３・１４を形成し、図中下側の内側面１０ａの長さ方向中間位置にガイドレール１３に沿わせてラック２０を図中上向きに固定する。ラック２０は、後述する一対の中間歯車３５・４５の大歯車３５ａ・４５ａが噛み合うが（図３・図４参照）、ラッチバー１０を直線往復移動して中間歯車３５・４５を正逆方向に回転したとき、被動歯車４０が表示板５０と一体に正逆方向に１／２回転する噛数の歯を設けてなる。
【００１８】
ラッチベース１１は、それぞれ金属製のベース本体１５と樹脂製外装プレート１６を備える。ベース本体１５は、外形をラッチバー１０の溝形の凹形状に合わせて成形し、対称な両側面にガイドレール１３・１４に対応してガイド溝１１ａ・１１ａを凹設する。他方、片側のスライド面１５ａには、その長さ方向両端に、ラッチバー１０が直線往復移動する扉Ｄの解錠位置と施錠位置間の所定距離Ｌを規制する突き当て段部１７・１８を突設する一方、他側の部品組付面１５ｂには、両側縁から向い合わせに断面Ｌ状の枠片１９を立ち上げて内側に嵌付凹部２１を形成する。ラッチベース１１は、この嵌付凹部２１に外装プレート１６を嵌め付けてから、芋ねじ２３・２３の基端２３ａをスタッド穴２４・２４を通してねじ穴１２・１２にねじ込んでベース本体１５に外装プレート１６を組み付け、芋ねじ２３・２３の先端２３ｂには、雌ねじ穴２６ａを螺合して管軸状のスタッド２６・２６を立設する。
【００１９】
更に、ラッチベース１１には、スタッド穴２４・２４間の中央において、ベース本体１５と外装プレート１６に回転軸３０を挿通する連通穴２８・２９を穿設する。一方、ベース本体１５には、連通穴２８の両側にギヤ保持穴３１・３２を穿設し、スライド面１５ａにはギヤ保持穴３１・３２間にギヤ受け凹部３６を形成する。
【００２０】
回転軸３０は、樹脂で一体成形し、外周の長さ方向に平行な係止溝３３を有する本体軸部３４の軸基端３４ａに平歯車からなる被動歯車４０を形成する。
【００２１】
そこで、ロック手段Ａは、連通穴２８・２９に軸先端３４ｂを貫挿する一方、軸基端３４ａの被動歯車４０をギヤ受け凹部３６に配置して回転軸３０をラッチベース１１に挿設すると共に、被動歯車４０に一対の中間歯車３５・４５を噛み合わせて付設した状態で、ラッチベース１１をラッチバー１０に差し込み、ガイドレール１３・１４をガイド溝１１ａ・１１ａに係合させて摺動し、長さ方向中間位置でいったん止めてから、図中下側の内側面１０ａの中間位置にラック２０をガイドレール１３に沿わせてビス２２で固定する。それから、図３および図４に示すように、ラッチバー１０をさらに摺動し、ラック２０の端面２０ａを突き当て段部１７に当てて解錠位置で位置決め保持し、ロック手段Ａを組み立てる。
【００２２】
ロック手段Ａにおいて、中間歯車３５・４５は、大歯車３５ａ・４５ａと小歯車３５ｂ・４５ｂとを同軸上に備えた複合２段歯車により形成し、被動歯車４０の径方向両側の対向する位置に配設し、それぞれ小歯車３５ｂ・４５ｂをラッチベース１１のギヤ保持穴３１・３２で保持して被動歯車４０に噛み合わす一方、大歯車３５ａ・４５ａをラック２０と噛み合う高さ位置に保持する。そこで、中間歯車３５・４５は、ラッチバー１０が扉Ｄの解錠位置と施錠位置との間の所定距離Ｌを直線往復移動すると、被動歯車４０の回転数が、常に表示板５０が扉Ｄの施解錠状態を切換表示する１／２回転に減速する歯数の複合２段歯車により形成する。そこで、ロック手段Ａは、中間歯車３５・４５の大歯車３５ａ・４５ａを駆動側のラック２０と噛み合わせる一方、小歯車３５ｂ・４５ｂを被動歯車４０と噛み合う高さ位置に保持して駆動側のラック２０と被動側の被動歯車４０との間に、減速ギヤ列Ｇを、ラッチバー１０内に配設した構成にする。
【００２３】
他方、取手Ｂは、図１および図２に示すように、扉Ｄの施解錠状態を表示する表示手段Ｃと取手バー４１および取付ベース４２を備える。表示手段Ｃは、表示板５０とパイプ軸５１および回転規制用の渦巻ばね５２を備える。表示板５０は、円板５５の板裏面中心に短い角筒状の連結突起５６を設け、板表面には、ドーナツ形の表面を等分に２つに色分けして扉Ｄの施解錠状態を識別する半円の区分表示面が印刷されたシ−ル６０を貼着する。円板５５の中心には、連結突起５６の中空穴と連通した小さな矩形の非常時操作穴５５ａが開いている。パイプ軸５１は、軸穴が円形の軸先端５１ａ側の内周面に回転軸３０の係止溝３３に対応して係止リブ６４を長さ方向に形成する一方、軸基端５１ｂ側は軸穴を四角い回転規制穴６５で形成する。回転規制穴６５には、連結突起５６を差し込んでパイプ軸５１の軸基端５１ｂに表示板５０を連結する。
【００２４】
取手バー４１は、金属製で、ラッチバー１０に対応し全体に断面コ状の溝形に成形し、対向する内側面４１ａには、長さ方向に凸条の案内レール５７・５７を設けるが、比較的短尺に形成する。ウェブ面４１ｂには、中心に円形の表示窓５９を設け、表示窓５９には、その内周縁の一部を切り欠いて、表示板５０の非常時操作穴５５ａを外部に臨ませる小穴５９ａを設ける。
【００２５】
取付ベース４２は、金属製で、外形を取手バー４１の溝形の凹形状に合わせて成形し、対称な両側面に取手バー４１の案内レール５７に合わせて案内溝６１を凹設する一方、長さ方向両端側には、ラッチベース１１のスタッド穴２６・２６と対応して一対のねじ挿通穴６３を穿設すると共に、ねじ挿通穴６３間の中央には、表示手段Ｃのパイプ軸５１を挿通する中心軸穴６６を設ける。
【００２６】
そこで、図示スライドボルトにおいて、取手Ｂは、図１および図２に示すように、取付ベース４２を、呼込み穴ｘ・ｙ・ｚを予め穿設した扉Ｄの所定取付位置に組み付ける。取付ベース４２は、中心軸穴６６を、中間の呼込みｙに合わせて扉Ｄの所定位置にねじ止めする。他方、ロック手段Ａの側において、扉Ｄの内側から、回転軸３０とスタッド２６・２６をそれぞれ呼込み穴ｘ・ｙ・ｚに挿通する一方、取手Ｂの外側から、表示手段Ｃのパイプ軸５１を中間の呼込み穴ｙに挿通し、回転軸３０を渦巻ばね５２を介して係合する。それから、呼込みねじ６９・６９をスタッド２６・２６の雌ねじ穴にばねワッシャ７０を介して捩じ込み、ロック手段Ａを間に扉Ｄを挟んで取手Ｂの取付ベース４２に締着する。次いで、案内溝６１・６１に案内レール５７・５７を係合して取手バー４１をスライドし、取付ベース４２に表示手段Ｃを覆うように装着してビス止めする。以って、図示スライドボルトは、扉Ｄの内側のロック手段Ａと外側の取手Ｂに組み込んだ表示手段Ｃとを、回転軸３０を介して運動伝達可能に連結して組み立て、図７に示すように扉Ｄに組み付ける。
【００２７】
さて、上述した構成のスライドボルトは、例えばトイレの内側から閉めた扉Ｄを施錠するとき、図３および図７に示すように、いまラック２０の一端面２０ａが突き当て段部１７に当接して解錠位置にあるラッチバー１０を持ち、矢示する施錠方向Ｘに向けてスライドさせる。すると、ラッチバー１０は、ガイドレール１３・１４が係合したラッチベース１１のガイド溝１１ａ・１１ａの案内で直線移動し、図９および図１３に示すように所定距離Ｌ移動したとき、ラック２０の他端面２０ｂが突き当て段部１８に突き当たり、ラッチバー１０が、扉Ｄとパネル状扉枠Ｆ間の隙間を跨る施錠位置まで突出して扉Ｄを施錠する。なお、図７および図９中符号７５は、施錠時にラッチバー１０の先端１０ｃ側において、ガイドレール１３・１４を円周溝７５ａに係止して扉Ｄの開きをロックする係止具である。
【００２８】
そこで、図示スライドボルトは、図３に示すように、いま解錠位置にあるラッチバー１０が施錠方向Ｘに向けて直線移動し始めると、減速ギヤ列Ｇにおいて、ラッチバー１０のラック２０と大歯車３５ａが噛み合う一方、同軸上の小歯車３５ｂが被動歯車４０と噛み合う複合２段歯車の中間歯車３５が回転を始め、それから、図１３に示すように、ラッチバー１０を解錠位置と施錠位置間の所定距離Ｌ、例えば５０ｍｍ移動する間に、中間歯車３５は、駆動側のラック２０と噛み合う大歯車３５ａの歯数に応じて回転を減速し、回転数を２回転弱（約６５５°）に減少すると同時に、さらに中間歯車３５の小歯車３５ｂと噛み合った従動側の被動歯車４０が小歯車３５ｂとの歯数の違いに応じて回転を減速して回転数を１／２回転（１８０°）に減少し、従って、同じ回転軸３０の軸先端３４ｂに連結した表示板５０が被動歯車４０と一体に正方向ｍに半回転し、これにより、表示窓５９から臨む表示板５０の区分表示面が切り換わり、扉Ｄの施錠状態を外部に表示する。
【００２９】
図示スライドボルトは、そのようにラッチバー１０を解錠位置から施錠位置までの所定距離Ｌを施錠方向Ｘに向けて直線移動するとき、減速ギヤ列Ｇにおいて、中間歯車３５・４５は、被動歯車４０の径方向両側の対向する位置に配設し、それぞれ小歯車３５ｂ・４５ｂを被動歯車４０に噛み合わす一方、大歯車３５ａ・４５ａをラック２０と噛み合う高さ位置に保持するため、移動前半は、図３および図１０に示すように、解錠位置側における中間歯車３５の大歯車３５ａがラック２０と噛み合って直線移動を回転運動に変換し、その回転を減速して表示板５０に伝達するが、図１１に示すように、移動途中から施錠位置側における中間歯車４５の大歯車４５ａも同じラック２０と噛み合い直線移動を回転運動に変換し、その回転を減速し、移動後半は、図１２および図１３に示すように、解錠位置側の大歯車３５ａがラック２０から噛み合いを外れるが、施錠位置側における中間歯車４５は大歯車４５ａがラック２０と噛み合ったまま直線移動を回転運動に変換し、その回転を減速して表示板５０に伝達し、扉Ｄの施錠状態を外部に切換表示する。
【００３０】
他方、そのようにトイレの内側から施錠した扉Ｄを解錠してロック解除する場合は、ラッチバー１０を、施錠方向Ｘと反対向きに所定距離Ｌスライドさせる。すると、ラッチバー１０は、ガイドレール１３・１４が係合したラッチベース１１のガイド溝１１ａ・１１ａの案内で直線移動し、所定距離Ｌ移動したとき、ラック２０の一端面２０ａが突き当て段部１７に突き当たって止まる解錠位置まで直線移動させて扉Ｄのロックを解除する。
【００３１】
そこで、図示スライドボルトは、そのように扉Ｄを解錠する時、施錠位置にあるラッチバー１０が解錠方向に向けて直線移動し始めると、減速ギヤ列Ｇにおいて、ラック２０と大歯車４５ａが噛み合う一方、小歯車４５ｂが被動歯車４０と噛み合う施錠位置側の中間歯車４５が回転を始め、それから、ラッチバー１０を所定距離Ｌ移動する間に、中間歯車４５は、駆動側のラック２０と噛み合う大歯車４５ａの歯数に応じて回転を減速し、回転数を２回転弱に減少すると同時に、さらに中間歯車４５の小歯車４５ｂと噛み合った従動側の被動歯車４０が小歯車４５ｂとの歯数の違いに応じて回転を減速して回転数を１／２回転に減少し、その回転を表示板５０に伝達して表示板５０を逆方向に半回転し、扉Ｄの解錠状態を切換表示する。
【００３２】
従って、図示スライドボルトにおいて、ロック手段Ａは、上述のようにラッチバー１０が扉Ｄの解錠位置と施錠位置との間の所定距離Ｌを直線往復移動すると、被動歯車４０の回転数を、常に表示板５０が扉Ｄの施解錠状態を切換表示する１／２回転に減速する歯数の複合２段歯車により中間歯車３５・４５を形成し、この中間歯車３５・４５の大歯車３５ａ・４５ａを駆動側のラック２０に噛み合わす一方、小歯車３５ｂ・４５ｂを従動側の被動歯車４０と噛み合う高さ位置に保持して減速ギヤ列Ｇを形成し、ラッチバー１０内のラック２０と被動歯車４０との間に配設した構成にすることにより、表示手段Ｃを組み込んで扉Ｄの外側に備えた取手Ｂの出っ張りを小さくして扉回りのデザイン性など美的外観を向上させることができる。
【００３３】
図示スライドボルトは、そのようにラッチバー１０を施錠位置から解錠位置までの所定距離Ｌを解錠方向Ｘに向けて直線移動するときも、移動途中から、今度は解錠位置側における中間歯車３５の大歯車３５ａも同じラック２０と噛み合い直線移動を回転運動に変換し、その回転を減速し、移動後半は、施錠位置側の大歯車４５ａがラック２０から噛み合いを外れるが、解錠位置側における中間歯車３５は大歯車３５ａがラック２０と噛み合ったまま直線移動を回転運動に変換し、その回転を減速して表示板５０に伝達し、扉Ｄの施錠状態を外部に切換表示することができる。
【００３４】
従って、図示スライドボルトでは、上述のように減速ギヤ列Ｇは、被動歯車４０の径方向両側の対向する位置に中間歯車３５・４５を一対配設し、それぞれ小歯車３５ｂ・４５ｂを被動歯車４０に噛み合わす一方、大歯車３５ａ・４５ａをラック２０と噛み合う高さ位置に保持して配設する構成にすることにより、ラッチバー１０を解錠位置と施錠位置間の所定距離Ｌ直線往復移動するとき、その移動途中に一側における中間歯車の大歯車とラック２０の噛み合いが外れても、他側における中間歯車の大歯車が同じラック２０と噛み合ったまま直線移動を回転運動に変換し、その回転を減速して表示板５０に伝達し、扉Ｄの施解錠状態を外部に切換表示することができ、その結果、ラッチバー１０に設けるラック２０を無用に長く形成する必要がなくなり、それに応じてラッチバー１０の小型化が進み、コストも低減することができる。
【符号の説明】
【００３５】
Ａ              ロック手段
Ｂ              取手
Ｃ              表示手段
Ｄ              扉
Ｇ              減速ギヤ列
１０            ラッチバー
１１            ラッチベース
２０            ラック
３０            回転軸
３５・４５      中間歯車
３５ａ・４５ａ  大歯車
３５ｂ・４５ｂ  小歯車
４０            被動歯車
５０            表示板
【図１】
2015094176.tif 000003
【図２】
2015094176.tif 000004
【図３】
2015094176.tif 000005
【図４】
2015094176.tif 000006
【図５】
2015094176.tif 000007
【図６】
2015094176.tif 000008
【図７】
2015094176.tif 000009
【図８】
2015094176.tif 000010
【図９】
2015094176.tif 000011
【図１０】
2015094176.tif 000012
【図１１】
2015094176.tif 000013
【図１２】
2015094176.tif 000014
【図１３】
2015094176.tif 000015
【図１４】
2015094176.tif 000016
【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
ラッチバーを直線往復移動して扉を施解錠する内側のロック手段と、扉の施解錠状態を表示板に表示する表示手段を組み込んだ外側の取手とを、扉を挟んで両側に回転軸を介して連結し、前記ラッチバーを直線往復移動すると、前記ラッチバーに備えた駆動側のラックと中間歯車を介して噛み合い前記回転軸の軸基端に有した従動側の被動歯車が軸先端に連結した前記表示板と一体に正逆方向に半回転し、前記取手に有する表示窓から扉の施解錠状態を切換表示するスライドボルトにおいて、
前記ロック手段は、前記ラッチバーが扉の解錠位置と施錠位置との間の所定距離を直線往復移動すると、前記被動歯車の回転数を、前記表示板が扉の施解錠状態を切換表示する１／２回転に減速する前記中間歯車を、前記ラックと前記被動歯車に噛み合わせて減速ギヤ列を形成し、該減速ギヤ列を前記ラッチバー内に配設してなることを特徴とする、スライドボルト。
【請求項２】
前記減速ギヤ列は、前記中間歯車を、前記ラックと噛み合う駆動側の大歯車と前記被動歯車と噛み合う被動側の小歯車とを同軸上に取り付けた複合歯車により形成して２段減速としてなることを特徴とする、請求項１に記載のスライドボルト。
【請求項３】
前記減速ギヤ列は、前記被動歯車の径方向両側の対向する位置に前記中間歯車を一対配設し、それぞれ前記小歯車を前記被動歯車に噛み合わす一方、前記大歯車を前記ラックと噛み合う高さ位置に保持してなることを特徴とする、請求項２に記載のスライドボルト。
【手続補正２】
【補正対象書類名】明細書
【補正対象項目名】０００８
【補正方法】変更
【補正の内容】
【０００８】
そのため、上述した課題を解決すべく、請求項１に記載の発明は、たとえば以下に示す図示実施の形態のとおり、ラッチバー１０を直線往復移動して扉Ｄを施解錠する内側のロック手段Ａと、扉の施解錠状態を表示板５０に表示する表示手段Ｃを組み込んだ外側の取手Ｂとを、扉Ｄを挟んで両側に回転軸３０を介して連結し、前記ラッチバー１０を直線往復移動すると、前記ラッチバー１０に備えた駆動側のラック２０と中間歯車３５・４５を介して噛み合い前記回転軸３０の軸基端に有した従動側の被動歯車４０が軸先端に連結した前記表示板５０と一体に正逆方向に半回転し、前記取手Ｂに有する表示窓５９から扉Ｄの施解錠状態を切換表示するスライドボルトにおいて、前記ロック手段Ａは、前記ラッチバー１０が扉Ｄの解錠位置と施錠位置との間の所定距離Ｌを直線往復移動すると、前記被動歯車４０の回転数を、前記表示板５０が扉Ｄの施解錠状態を切換表示する１／２回転に減速する前記中間歯車３５・４５を、前記ラック２０と前記被動歯車４０に噛み合わせて減速ギヤ列Ｇを形成し、該減速ギヤ列Ｇを前記ラッチバー１０内に配設してなることを特徴とする。